(57)【要約】【課題】  縦配線空間から横配線空間に至るコーナー部分において、配線作業を容易に行うことができるとともに、配線を傷つけるおそれがなく、しかも配線を体裁よく収容しうるようにした机のコーナー脚用配線ダクト装置を提供する。【解決手段】  天板支持部材１１における天板支持部１５の下面とそれに連なる基部１２の側面とに、互いに平行をなして離間する１対の下向きガイド片１７、１７と横向きガイド片１８、１８とを設けることにより、天板支持部１５の下面に沿う横配線通路１９とそれに連通する縦配線通路２０とを形成し、かつ横向きガイド片１８、１８の下端部を、脚体１の側面に形成した縦配線空間９を覆う配線カバー７の上端開口部内に嵌合する。【選択図】        図１０
2006296821.tif 000002
【特許請求の範囲】
【請求項１】
脚体の上端に、基部の上端から側方に突出する天板支持部を有する天板支持部材を固着し、前記天板支持部上に天板を載置して固定してなる机のコーナー脚用の配線ダクト装置であって、
前記天板支持部材における天板支持部の下面とそれに連なる基部の側面とに、互いに平行をなして離間する１対の下向きガイド片と横向きガイド片とを設けることにより、天板支持部の下面に沿う横配線通路とそれに連通する縦配線通路とを形成し、かつ前記横向きガイド片の下端部を、前記脚体の側面に形成した縦配線空間を覆う配線カバーの上端開口部内に嵌合したことを特徴とする机のコーナー脚用配線ダクト装置。
【請求項２】
１対の下向きガイド片の下端縁に、互いに内方を向く配線受片を設けたことを特徴とする請求項１記載の机のコーナー脚用配線ダクト装置。
【請求項３】
配線受片の内端縁に、起立片を設けたことを特徴とする請求項２記載の机のコーナー脚用配線ダクト装置。
【請求項４】
１対の横向きガイド片の遊端縁に、互いに内方を向く内向き片を設けたことを特徴とする請求項１〜３のいずれかに記載の机のコーナー脚用配線ダクト装置。
【請求項５】
１対の下向きガイド片の下端縁間と、１対の横向きガイド片の遊端縁間とのいずれか一方または両方に、それらの開口部を閉塞する閉塞片を設けたことを特徴とする請求項１〜４のいずれかに記載の机のコーナー脚用配線ダクト装置。
【請求項６】
配線カバーの上端に、上方に突出して、１対の横向きガイド片の遊端縁間の開口部を閉塞する閉塞片を連設したことを特徴とする請求項１〜５のいずれかに記載の机のコーナー脚用配線ダクト装置。
【請求項７】
天板支持部材の基部に、脚体同士を連結する１対の横杆の連結部を設けるとともに、天板支持部を、連結された１対の横杆に挟まれるように配置し、かつ横配線通路を、１対の横杆に挟まれた空間に開口させるようにしたことを特徴とする請求項１〜６のいずれかに記載の机のコーナー脚用配線ダクト装置。
【発明の詳細な説明】
【技術分野】
【０００１】
本発明は、脚体の上端に、天板支持部を有する天板支持部材を固着し、その天板支持部上に天板を載置して固定してなる机のコーナー脚用の配線ダクト装置に関する。
【背景技術】
【０００２】
従来の机の脚には、机上に載置する照明器具や電子機器等の配線を、体裁よく収容するための縦方向の配線ダクト装置を設けたものがある(例えば特許文献１〜３参照)。
【特許文献１】特開２０００−２７９２３３号公報
【特許文献２】特開２００３−１３５１６５号公報
【特許文献３】特開２００４−８９４６１号公報
【発明の開示】
【発明が解決しようとする課題】
【０００３】
しかし、上述のような従来の机の脚用の配線ダクト装置では、配線カバーの上端より横方に引き出した配線が外部に露呈して見苦しくなったり、または配線が配線カバーの上端縁に擦れて傷ついたり、断線したりするおそれがある。
【０００４】
本発明は、従来の技術が有する上記のような問題点に鑑み、縦配線空間から横配線空間に至るコーナー部分において、配線作業を容易に行うことができるとともに、配線を傷つけるおそれがなく、しかも配線を体裁よく収容しうるようにした机のコーナー脚用配線ダクト装置を提供することを目的としている。
【課題を解決するための手段】
【０００５】
本発明によると、上記課題は、次のようにして解決される。
（１）脚体の上端に、基部の上端から側方に突出する天板支持部を有する天板支持部材を固着し、前記天板支持部上に天板を載置して固定してなる机のコーナー脚用の配線ダクト装置において、前記天板支持部材における天板支持部の下面とそれに連なる基部の側面とに、互いに平行をなして離間する１対の下向きガイド片と横向きガイド片とを設けることにより、天板支持部の下面に沿う横配線通路とそれに連通する縦配線通路とを形成し、かつ前記横向きガイド片の下端部を、前記脚体の側面に形成した縦配線空間を覆う配線カバーの上端開口部内に嵌合する。
【０００６】
（２）上記(１)項において、１対の下向きガイド片の下端縁に、互いに内方を向く配線受片を設ける。
【０００７】
（３）上記(２)項において、配線受片の内端縁に、起立片を設ける。
【０００８】
（４）上記(１)〜(３)項のいずれかにおいて、１対の横向きガイド片の遊端縁に、互いに内方を向く内向き片を設ける。
【０００９】
（５）上記(１)〜(４)項のいずれかにおいて、１対の下向きガイド片の下端縁間と、１対の横向きガイド片の遊端縁間とのいずれか一方または両方に、それらの開口部を閉塞する閉塞片を設ける。
【００１０】
（６）上記(１)〜(５)項のいずれかにおいて、配線カバーの上端に、上方に突出して、１対の横向きガイド片の遊端縁間の開口部を閉塞する閉塞片を連設する。
【００１１】
（７）上記(１)〜(６)項のいずれかにおいて、天板支持部材の基部に、脚体同士を連結する１対の横杆の連結部を設けるとともに、天板支持部を、連結された１対の横杆に挟まれるように配置し、かつ横配線通路を、１対の横杆に挟まれた空間に開口させる。
【発明の効果】
【００１２】
本発明によると、次のような効果を奏することができる。
(１)  請求項１記載の発明によると、脚体の側面に形成した縦配線空間から上方に引き出された配線の両側部を、１対の横向きガイド片と下向きガイド片とにより挟んだ状態で、縦配線通路と横配線通路とを通過させて、天板の下方に設けた他の横配線ダクト等における横配線空間に体裁よく導くことができるとともに、横向きガイド片の下端部を、脚体の側面に形成した縦配線空間を覆う配線カバーの上端開口部内に嵌合してあるので、配線が配線カバーの上端両縁部に擦れて傷つけられたり、断線したりするおそれはない。
また、１対の横向きガイド片の遊端間と、下向きガイド片の下端間とは開口しているので、脚体から配線カバーを外すことにより、配線を、縦配線空間から縦配線通路および横配線通路に、外側から連続して簡単に配索することができるので、配線作業を容易に行うことができる。
【００１３】
(２)  請求項２記載の発明によると、１対の下向きガイド片の下端縁に、互いに内方を向く配線受片を設けてあるので、この配線受片に配線を係止することにより、配線の垂れ下がりを防止することができる。
【００１４】
(３)  請求項３記載の発明によると、配線受片の内端縁に、起立片を設けてあるので、配線受片に係止された配線が、１対の下向きガイド片の下端間の開口から、下方に脱落するのが防止される。
【００１５】
(４)  請求項４記載の発明によると、１対の横向きガイド片の遊端縁に、互いに内方を向く内向き片を設けてあるので、配線がこの内向き片に当たることにより、配線が配線カバーの上端縁に当接して、擦れるのが防止される。
【００１６】
(５)  請求項５記載の発明によると、閉塞片により、１対の下向きガイド片の下端縁間の開口と、１対の横向きガイド片の遊端縁間の開口とのいずれか一方または両方が閉塞され、上記開口からの配線の脱落を確実に防止することができる。
【００１７】
(６)  請求項６記載の発明によると、配線カバーを脚体に装着することにより、１対の横向きガイド片の遊端縁間の開口部が、配線カバーの上端に連設された閉塞片によって閉塞されるので、上記開口部からの配線の脱落や露呈を防止することができるとともに、配線カバーを脚体から外すことにより、１対の横向きガイド片の遊端縁間の開口部を開くことができ、配線作業がより楽になる。
できる。
【００１８】
(７)  請求項７記載の発明によると、配線の案内部分が、１対の横杆に挟まれた空間内に位置しているで、天板支持部材に対する１対の横杆の水平方向の取付角度を変更しても、配線の配索が影響を受けることがなく、１対の横杆の取付角度を、自由に変更することができる。
また、天板支持部の下方に設けられた下向きガイド片や横向きガイド片が、１対の横杆の内側に位置し、両横杆によって側方が隠蔽されるので、下向きガイド片や横向きガイド片が側方に露呈することがなく、体裁がよい。
【発明を実施するための最良の形態】
【００１９】
本発明の実施の形態を、添付図面を参照して説明する。
図１は、本発明の第１の実施形態を備え、かつコーナー角度を９０度としたコーナー用机(Ａ)の分解斜視図、図２は、同じくコーナー角度を１２０度としたコーナー用机(Ｂ)の分解斜視図である。
【００２０】
図１に示す机(Ａ)も、図２に示す机(Ｂ)も、ともに天板(ａ)(ｂ)の形状が異なるだけで、他の構成部材は全く同一である。
すなわち、両机(Ａ)(Ｂ)とも、中央に配設したコーナー用の脚体(１)の後部上端と、その両側方に配設した側面視前向きコ字状をなす左右１対の側脚(２)(２)の後部上端とを、水平の横杆(３)(３)をもって互いに連結し、それらの上に天板を載置して固定したものよりなっている。
【００２１】
机(Ａ)においては、左右の横杆(３)(３)が、脚体(１)上において互いに９０度をなすようにして、また机(Ｂ)においては、左右の横杆(３)(３)が、脚体(１)上において互いに１２０度をなすようにして、それぞれ脚体(１)に固着されている。
【００２２】
次に、図３〜図１０を参照して、机のコーナー部の脚構造について詳細に説明する。なお、以下の説明では、左右の横杆(３)(３)のなす角度を９０度とし、それ以外の角度とする場合については、必要に応じて図面に想像線をもって示すこととする。
【００２３】
図３〜図５に示すように、脚体(１)は、前後方向に長い中空角管状に形成され、下端に、高さ調節用のアジャスタ(４)を備えている。
脚体(１)の前端面には、平面視Ｔ字状をなす配線仕分け用の配線ガイド(５)が、上下方向のほぼ全長に亘って中央に設けられとともに、縦長の係合孔(６)が上下左右の４隅に設けられている。
【００２４】
脚体(１)の前端部には、後方に向かって開口する平面視後向コ字状をなす配線カバー(７)が、その後端４隅に設けた下向き係合片(８)を上記係合孔(６)に係止することにより、配線ガイド(５)を包み込むようにして装着されている。
配線カバー(７)は、脚体(１)より若干長く形成し、配線カバー(７)の上端部が脚体(１)の上端より上方に若干突出するようにしてある。
この配線カバー(７)と配線ガイド(５)とにより、縦配線空間(９)が形成されている。
【００２５】
脚体(１)の上端の前半部には、有底の差し込み孔(10)が設けられている。
脚体(１)の上端には、左右の横杆(３)(３)と連結するための天板支持部材(11)が設けられている。
天板支持部材(11)は、基部(12)と、その下端に設けられた下方を向く差し込み部(13)と、基部(12)の後下部より両側方に水平に突出する横杆受片(14)(14)と、基部(12)の前部上端より前方に向かって平面視直角三角形をなして水平に張り出し、天板(ａ)または(ｂ)の下面に固着される天板支持部(15)とを備えている。
【００２６】
天板支持部材(11)は、図４および図７に示すように、その差し込み部(13)を脚体(１)の差し込み孔(10)に嵌合し、かつ前後２本のボルト(16)(16)をもって、脚体(１)の上端に強固に固着されている。
【００２７】
図１０に示すように、天板支持部材(11)における天板支持部(15)の下面とそれに連なる基部(12)の前面とには、互いに平行をなして離間する１対の下向きガイド片(17)(17)と横向きガイド片(18)(18)とが設けられており、これらによって、天板支持部(15)の下面に沿う横配線通路(19)と、それに連通する縦配線通路(20)とが形成されている。
横向きガイド片(18)(18)の下端部は、脚体(１)の前端部に装着した、縦配線空間(９)を覆う配線カバー(７)の上端開口部内に嵌合され、縦配線通路(20)の下部は、配線カバー(７)の上端部により覆われている。
【００２８】
１対の下向きガイド片(17)(17)の前部下端縁には、互いに内方を向く配線受片(21)(21)が設けられ、これらによって、横配線通路(19)を通る配線(22)が落下しないようにしてある。
また、１対の下向きガイド片(17)(17)が設けられた天板支持部(15)の前縁中央部には、配線(22)を上方に引き出し可能とするための切欠き(23)が設けられている。
【００２９】
図３、図８および図９に示すように、天板支持部材(11)における各横杆受片(14)の上面中央には、筒体(24)が上向きに突設されており、この筒体(24)の上面中央には、ねじ孔(25)が設けられている。
この例では、筒体(24)は、上方に向かって漸次縮径するテーパ状としてあるが、直円筒状とすることもある。
【００３０】
各横杆(３)は、角管(26)の各端部に、エンド部材(27)の差し込み部(28)を嵌合して、２個の固定ねじ(29)(29)をもって固着したものよりなっている。
エンド部材(27)の下面には、筒体(24)と補形をなす凹孔(30)が、エンド部材(27)の上面には、凹孔(30)と上下対称形をなす凹孔(31)が、またエンド部材(27)の中間部には、上下の凹孔(31)(30)を同心をなして連通する、それらより小径のねじ挿通孔(32)が設けられている。
【００３１】
エンド部材(27)の上面における凹孔(31)の外周には、凹孔(31)を中心とする複数の放射状の凸条(33)と凹条(34)とを交互に、かつ円周方向に等間隔に設けた冠歯車状の凹凸部(35)が設けられている。
【００３２】
天板支持部材(11)の基部(12)の上面には、平面視直角三角形をなす蓋板(36)が、直角の角部が前方中央に位置し、かつ他の角部で、天板支持部材(11)に連結される左右の横杆(３)(３)のエンド部材(27)(27)を覆うように装着されている。
【００３３】
図７に示すように、蓋板(36)のほぼ中央には、上部を大径孔(37a)、かつ下部を小径孔(37b)とした上下方向を向く段付き孔(37)が設けられており、この段付き孔(37)における小径孔(37b)に、段付きねじ(38)における小径孔(37b)より長い中間軸部(38a)を嵌合し、大径孔(37a)に、段付きねじ(38)における中間軸部(38a)の上端に連設した、上記小径孔(37b)より大径の拡径頭部(38b)を嵌合し、かつ段付きねじ(38)における中間軸部(38a)の下端に連設した雄ねじ部(38c)を、天板支持部材(11)の基部(12)の上面に螺着することにより、蓋板(36)は、大径孔(37a)の底面と拡径頭部(38b)の下面との間に形成される隙間(ｓ)分だけ上下動可能として、基部(12)の上端に装着されている。
【００３４】
中間軸部(38a)の長さは、小径孔(37b)の長さと凹凸部(35)の凸条(33)の高さまたは凹条(34)の深さとの和より大で、小径孔(37b)の長さと凹孔(31)の深さとの和より小としてあるので、蓋板(36)の上下動可能範囲、すなわち隙間(ｓ)は、凸条(33)の高さまたは凹条(34)の深さより大で、凹孔(31)の深さより小となっている。
【００３５】
図８および図９に示すように、蓋板(36)における後部両側の角部の下面には、凹孔(31)と補形をなす筒体(39)が下向きに突設されており、この筒体(39)の中央には、蓋板(36)の上面に開口する上端部に拡径段孔(40a)を有するねじ挿通孔(40)が設けられている。
【００３６】
また、蓋板(36)の下面における各筒体(39)の外周には、筒体(39)を中心とする冠歯車状の凹凸部(41)が設けられている。この凹凸部(41)は、上記凹凸部(35)と同一または対をなすもので、筒体(39)を中心とする複数の放射状の凸条(42)と凹条(43)とを交互に、かつ円周方向に等間隔に設けたものよりなり、各凸条(42)が凹凸部(35)の凹条(34)に、各凹条(43)に凹凸部(35)の凸条(33)がそれぞれ嵌合しうるようになっている。
各凸条(33)(42)の断面形状は山形、凹条(34)(43)の断面形状はＶ溝状としてある。
【００３７】
各横杆(３)は、下面の凹孔(30)を筒体(24)に上方より嵌合して、エンド部材(27)を、所望の方向に向けて天板支持部材(11)の横杆受片(14)上に載置し、かつエンド部材(27)の上方を覆う蓋板(36)の下面に設けた筒体(39)を、凹孔(31)に嵌合するとともに、蓋板(36)側の凹凸部(41)をエンド部材(27)の上面の凹凸部(35)に係合させ、上下方向を向く取付ねじ(44)を、その上端の拡径頭部(44a)を拡径段孔(40a)に嵌合するとともに、拡径頭部(44a)より下方に連設された軸部(44b)を、蓋板(36)のねじ挿通孔(40)、およびエンド部材(27)のねじ挿通孔(32)に順次挿通させ、かつ軸部(44b)の下端部に設けた雄ねじ部(44c)を、天板支持部材(11)のねじ孔(25)に螺合して、締め付けることにより、取付ねじ(44)が側方に傾倒することなく、強固に天板支持部材(11)に連結されている。
【００３８】
天板支持部材(11)に対して、各横杆(３)の取付角度を変更したい場合は、蓋板(36)が隙間(ｓ)分だけ上方に移動しうる範囲まで、両取付ねじ(44)(44)を緩め、各横杆(３)を、取付ねじ(44)を中心として、所望の角度まで回動させる。
この横杆(３)の回動により、互いに係合している凹凸部(35)(41)の山形とした各凸条(33)(42)は、Ｖ溝状の凹条(34)(43)の傾斜面に沿って摺動し、蓋板(36)は、凸条(33)(42)の１ピッチ分だけ横杆(３)が回動する毎に、凸条(33)(42)の高さ分だけ上下動させられる。
【００３９】
したがって、蓋板(36)を予め持ち上げておくことなく、各横杆(３)を、横杆受片(14)の上面に沿って円滑に回動させることができる。
凸条(33)(42)のピッチおよびその数は、天板支持部材(11)に対する各横杆(３)の取付希望角度、例えば４５°、６０°、７０°、９０°等に基づいて、５°または１０°ピッチ、および７２個または３６個と定めておくのがよい。
なお、凸条(33)(42)に係合する凹条(34)(43)の数を増大させることにより、横杆(３)を取付ける角度ピッチを細かくして、横杆(３)の取付可能角度を無段階に近づけることができる。
【００４０】
また、図６に示すように、横杆(３)と、蓋板(36)(または天板支持部材(11)もしくは脚体(１))との対向部分に、脚体(１)に対する横杆(３)の取付角度を示す目盛り(45)を付設しておくと、この目盛り(45)を参考にして、横杆(３)を、所望の取付角度に迅速に固定することができる。
【００４１】
各横杆(３)を、天板支持部材(11)に対して所望の角度位置まで回動させた後、両取付ねじ(44)(44)を締め直せば、蓋板(36)や取付ねじ(44)、さらには横杆(３)自体を完全に外すことなく、各横杆(３)の取付角度を簡単に変更することができる。
【００４２】
また、エンド部材(27)の上面および下面と、それに対向する蓋板(36)の下面および天板支持部材(11)の上面との間に、高さを蓋板(36)の上下動可能範囲より大とした筒体(39)(24)とそれに嵌合する凹孔(31)(30)とを設けたので、横杆(３)の回動が、筒体(39)(24)の外周面と凹孔(31)(30)の内面との摺動により案内され、横杆(３)は、回転中心がずれることなく、円滑に回動することができる。
【００４３】
本発明は、上記の構成の内、机のコーナー脚用配線ダクト装置に関するものであり、上記のように、天板支持部材(11)における天板支持部(15)の下面とそれに連なる基部(12)の側面とに、互いに平行をなして離間する１対の下向きガイド片(17)(17)と横向きガイド片(18)(18)とを設けることにより、天板支持部(15)の下面に沿う横配線通路(19)とそれに連通する縦配線通路(20)とを形成し、横向きガイド片(18)(18)の下端部を、脚体(１)の側面に形成した縦配線空間(９)を覆う配線カバー(７)の上端開口部内に嵌合したことを特徴としている。
【００４４】
このような構成としたことにより、脚体(１)の側面に形成した縦配線空間(９)から上方に引き出された配線(22)の両側部を、１対の横向きガイド片(18)(18)と下向きガイド片(17)(17)とにより挟んだ状態で、縦配線通路(20)と横配線通路(19)とを通過させて、天板(ａ)または(ｂ)の下方に設けた他の横配線ダクト(図示略)等における横配線空間に体裁よく導くことができるとともに、横向きガイド片(18)(18)の下端部を、脚体(１)の側面に形成した縦配線空間(９)を覆う配線カバー(７)の上端開口部内に嵌合してあるので、配線(22)が配線カバー(７)の上端両縁部に擦れて傷つけられたり、断線したりするおそれはない。
【００４５】
また、１対の横向きガイド片(18)(18)の遊端間と、下向きガイド片(17)(17)の下端間とは開口しているので、脚体(１)から配線カバー(７)を外すことにより、配線(22)を、縦配線空間(９)から縦配線通路(20)および横配線通路(19)に、外側から連続して簡単に配索することができるので、配線作業を容易に行うことができる。
【００４６】
その他にも、次のような特徴と作用効果を有している。
(１)１対の下向きガイド片(17)(17)の下端縁に、互いに内方を向く配線受片(21)(21)を設けてあるので、この配線受片(21)(21)に配線(22)を係止することにより、配線(22)の垂れ下がりを防止することができる。
【００４７】
(２)  天板支持部材(11)の基部(12)に、脚体(１)と他の側脚(２)等を連結する１対の横杆(３)(３)の連結部を設けるとともに、天板支持部(15)を、連結された１対の横杆(３)(３)に挟まれるように配置し、かつ横配線通路(19)が、１対の横杆(３)(３)に挟まれた空間に開口するようにしてあるので、天板支持部材(11)に対する１対の横杆(３)(３)の水平方向の取付角度を変更しても、配線(22)の配索が影響を受けることがなく、１対の横杆(３)(３)の取付角度を、自由に変更することができる。
また、天板支持部(15)の下方に設けられた下向きガイド片(17)(17)や横向きガイド片(18)(18)が、１対の横杆(３)(３)の内側に位置し、両横杆(３)(３)によって側方が隠蔽されるので、下向きガイド片(17)(17)や横向きガイド片(18)(18)が側方に露呈することがなく、体裁がよい。
【００４８】
図１１は、本発明の第２の実施形態を示す。なお、第１の実施形態におけるのと同一の部材には、同一の符号を付して図示するに止め、それらについての説明は省略する(第３以後の実施形態においても同一とする)。
この例では、左右の配線受片(21)(21)の内端縁に、起立片(46)(46)を設けてある。
このような構成とすると、配線受片(21)(21)に係止された配線(22)が、１対の下向きガイド片(17)(17)の下端間の開口から、下方に脱落するのが防止される。
【００４９】
図１２は、本発明の第３の実施形態を示す。
この例では、１対の下向きガイド片(17)(17)の下端縁と、横向きガイド片(18)(18)の前端縁とに、互いに内方を向く内向き片(47)(47)(48)(48)を設けるとともに、下向きガイド片(17)(17)側の内向き片(47)(47)の内端縁には起立片(49)(49)を、また横向きガイド片(18)(18)側の内向き片(48)(48)の内端縁には後向片(50)(50)をそれぞれ設けてある。
【００５０】
このような構成とすると、第２の実施形態におけるのと同様に、下向きガイド片(17)(17)内の配線(22)が、下方に脱落するのが防止されるだけでなく、横向きガイド片(18)(18)間の配線(22)が、横向きガイド片(18)(18)の前端縁間の開口から前方に突出して露呈するのが防止され、美麗な外観を呈することができる。
また、横向きガイド片(18)(18)内の配線(22)が、内向き片(48)(48)に当たることにより、配線(22)が配線カバー(７)の上端縁に当接して、擦れるのが防止される。
【００５１】
図１３は、本発明の第４の実施形態を示す。
この例では、１対の下向きガイド片(17)(17)の下端縁間と、１対の横向きガイド片(18)(18)の遊端縁間と(そのいずれか一方のみでもよい)に、それらの開口部を閉塞する閉塞片(51)(52)を設けてある。
【００５２】
このような構成とすると、閉塞片(51)(52)により、１対の下向きガイド片(17)(17)の下端縁間の開口と、１対の横向きガイド片(18)(18)の遊端縁間の開口との両方(またはそのいずれか一方)が完全に閉塞され、上記開口からの配線(22)の脱落を確実に防止することができる。
【００５３】
図１４は、本発明の第５の実施形態を示す。
この例では、配線カバー(７)の上端に、上方に突出して、１対の横向きガイド片(18)(18)の遊端縁間の開口部を閉塞する閉塞片(53)を連設してある。
このような構成とすると、配線カバー(７)を脚体(１)に装着することにより、１対の横向きガイド片(18)(18)の遊端縁間の開口部が、配線カバー(７)の上端に連設された閉塞片(53)によって閉塞されるので、上記開口部からの配線(22)の脱落や露呈を確実に防止することができるとともに、配線カバー(７)を脚体(１)から外すことにより、１対の横向きガイド片(18)(18)の遊端縁間の開口部を開くことができ、配線作業がより楽になる。
【００５４】
以上、本発明の５つの実施形態について説明したが、本発明は、特許請求の範囲を逸脱しない範囲で、上記以外の形態での実施が可能である。
例えば、次のような変形が可能である。
(１)複数の横杆(３)のうち、１個のみを、上記と同様の構成をもって天板支持部材(11)に取付角度変更可能として連結し、他のものを、他の構成をもって天板支持部材(11)に取付角度変更可能として連結するか、または固着する。
(２)横杆(３)上に天板(ａ)または(ｂ)を固定する。
【図面の簡単な説明】
【００５５】
【図１】本発明の第１の実施形態を備え、かつコーナー角度を９０度としたコーナー用机の分解斜視図である。
【図２】同じく、コーナー角度を１２０度としたコーナー用机の分解斜視図である。
【図３】本発明の第１の実施形態の分解斜視図である。
【図４】同じく、一部を組み付けた状態の分解斜視図である。
【図５】同じく、正面図である。
【図６】同じく、平面図である。
【図７】図６のVII−VII線に沿う拡大縦断側面図である。
【図８】図６のVIII−VIII線に沿う拡大縦断面図である。
【図９】図８の一部を分解して示す縦断面図である。
【図１０】斜め前下方から見た斜視図である。
【図１１】本発明の第２の実施形態における図１０と同様の部分の斜視図である。
【図１２】本発明の第３の実施形態における図１０と同様の部分の斜視図である。
【図１３】本発明の第４の実施形態における図１０と同様の部分の斜視図である。
【図１４】本発明の第５の実施形態における図１０と同様の部分の斜視図である。
【符号の説明】
【００５６】
(Ａ)(Ｂ)机
(ａ)(ｂ)天板
(ｓ)間隙
(１)脚体
(２)側脚
(３)横杆
(４)アジャスタ
(５)配線ガイド
(６)係合孔
(７)配線カバー
(８)下向き係合片
(９)縦配線空間
(10)差し込み孔
(11)天板支持部材
(12)基部
(13)差し込み部
(14)横杆受片
(15)天板支持部
(16)ボルト
(17)下向きガイド片
(18)横向きガイド片
(19)横配線通路
(20)縦配線通路
(21)配線受片
(22)配線
(23)切欠き
(24)筒体
(25)ねじ孔
(26)角管
(27)エンド部材
(28)差し込み部
(29)固定ねじ
(30)(31)凹孔
(32)ねじ挿通孔
(33)凸条
(34)凹条
(35)凹凸部
(36)蓋板
(37)段付き孔
(37a)大径孔
(37b)小径孔
(38)段付きねじ
(38a)中間軸部
(38b)拡径頭部
(38c)雄ねじ部
(39)筒体
(40)ねじ挿通孔
(40a)拡径段孔
(41)凹凸部
(42)凸条
(43)凹条
(44)取付ねじ
(44a)拡径頭部
(44b)軸部
(44c)雄ねじ部
(45)目盛り
(46)起立片
(47)(48)内向き片
(49)起立片
(50)後向片
(51)(52)(53)閉塞片
【図１】
2006296821.tif 000003
【図２】
2006296821.tif 000004
【図３】
2006296821.tif 000005
【図４】
2006296821.tif 000006
【図５】
2006296821.tif 000007
【図６】
2006296821.tif 000008
【図７】
2006296821.tif 000009
【図８】
2006296821.tif 000010
【図９】
2006296821.tif 000011
【図１０】
2006296821.tif 000012
【図１１】
2006296821.tif 000013
【図１２】
2006296821.tif 000014
【図１３】
2006296821.tif 000015
【図１４】
2006296821.tif 000016